(57)【要約】      （修正有）【課題】動物用おむつ又は動物用おむつカバーがずれて落ちてしまわないようにする動物用補助器具、並びにずれて落ちてしまわない動物用おむつ及び動物用おむつカバーを提供する。【解決手段】動物用おむつ２０又は動物用おむつカバーに取り付け可能な接着部１１と、前記接着部１１を動物用おむつ２０又は動物用おむつカバーに取り付けた状態で動物の首に装着可能な首輪部１２とを有する動物用補助器具１０を動物用おむつ２０又は動物用おむつカバーに取り付ける。【選択図】図１
0003180019.tif 000002
【実用新案登録請求の範囲】
【請求項１】
動物用おむつ（２０）又は動物用おむつカバー（４０）に取り付け可能な接着部（１１）と、
前記接着部（１１）を動物用おむつ（２０）又は動物用おむつカバー（４０）に取り付けた状態で動物の首に装着可能な首輪部（１２）と
を有する動物用補助器具（１０）。
【請求項２】
請求項１に記載の動物用補助器具（１０）を備える動物用おむつ（２０）。
【請求項３】
大便用袋（３０）を備える請求項２に記載の動物用おむつ（２０）。
【請求項４】
請求項１に記載の動物用補助器具（１０）を備える動物用おむつカバー（４０）。
【考案の詳細な説明】
【技術分野】
【０００１】
本考案は、動物用おむつ又は動物用おむつカバーに取り付ける動物用補助器具、並びに動物用おむつ及び動物用おむつカバーに関するものである。
【背景技術】
【０００２】
ペットの犬や猫等の動物用のおむつとしては、帯状おむつやパンツ型おむつ等が存在する。帯状おむつは、帯状のおむつ中心部の股当部を動物の股に当て、該股当部にて帯状おむつを折り返し、折り返した一方を腹に当てる腹当部とし、他方を背に当てる背当部として、腹当部と背当部を接着テープ等で接着して、動物に穿かせるものである（特許文献１、特許文献２、特許文献３、特許文献４、特許文献５、特許文献６、特許文献７、特許文献８）。一方、パンツ型おむつは、文字通り、パンツの形状をしたおむつであり、パンツ型おむつは、ウェスト開口部と２つの後脚開口部を有し、ウェスト開口部側から動物の後両脚を後脚開口部に挿入するようにして穿かせるものである（特許文献９）。また、動物用おむつカバーは、例えば、パンツの形状をしており、動物用おむつを動物に穿かせた状態で、該動物用おむつの上から、上述したパンツ型おむつと同様にして動物に穿かせるものである。
【先行技術文献】
【特許文献】
【０００３】
【特許文献１】特開平７−２３６３８０号公報
【特許文献２】特開２００３−３８０５４号公報
【特許文献３】特開２００３−４７３６０号公報
【特許文献４】特開２００３−５２２６７号公報
【特許文献５】特開２００３−１０２３１３号公報
【特許文献６】特開２００６−１２２０３９号公報
【特許文献７】特開２００６−３４０６０９号公報
【特許文献８】特開２００９−２４０２７８号公報
【特許文献９】特開２００３−８８２６２号公報
【考案の概要】
【考案が解決しようとする課題】
【０００４】
これらの各種動物用おむつは、動物への装着容易性、便の漏れ防止、体格・体形が相違する動物への装着可能性等の観点から開発されている。しかし、おむつを必要とする動物は、通常、老犬や老猫であり、その臀部は痩せてきているため、おむつが臀部から後脚の先の方へずれて落ちてしまうという欠点があった。
【０００５】
そこで、本考案は、動物用おむつ又は動物用おむつカバーがずれて落ちてしまわないようにする動物用補助器具、並びにずれて落ちてしまわない動物用おむつ及び動物用おむつカバーを提供しようとするものである。
【課題を解決するための手段】
【０００６】
本考案は、前記課題を解決するため、以下の構成を採用するものである。
【０００７】
本考案の動物用補助器具（１０）は、動物用おむつ（２０）又は動物用おむつカバー（４０）に取り付け可能な接着部（１１）と、
前記接着部（１１）を動物用おむつ（２０）又は動物用おむつカバー（４０）に取り付けた状態で動物の首に装着可能な首輪部（１２）と
を有する。
【０００８】
本考案の動物用おむつ（２０）は、前記動物用補助器具（１０）を備える動物用おむつ（２０）である。
【０００９】
本考案の動物用おむつ（２０）は、好ましくは、大便用袋（３０）を備える。
【００１０】
本考案の動物用おむつカバー（４０）は、前記動物用補助器具（１０）を備える動物用おむつカバー（４０）である。
【考案の効果】
【００１１】
本考案の動物用補助器具は、動物に動物用おむつ又は動物用おむつカバーを穿かせておいて、接着部にて動物用補助器具を動物用おむつ又は動物用おむつカバーに取り付け、さらに該動物の首に首輪部を装着することから、例えば、該動物の臀部が痩せていて、動物用おむつ又は動物用おむつカバーが臀部から後脚の先の方へずれようとしても、前記首輪部によって動物用おむつ又は動物用おむつカバーが動物用の首に係止されているため、これらがずれ落ちてしまうことを防止できる。
また、本考案の動物用補助器具は、少なくとも前記接着部と前記首輪部を有するものであるから、製造が容易であり、且つ低コストで製造が可能である。
さらに、本考案の動物用補助器具は、前記接着部にて、市販の動物用おむつ又は動物用おむつカバーに取り付け可能であるため、特殊なおむつやおむつカバーを使用する必要がないという利点がある。
【００１２】
本考案の動物用おむつは、前記動物用補助器具を備えるため、前記首輪部を該動物の首に装着することから、該動物の臀部が痩せていても、動物用おむつが臀部から後脚の先の方へずれて落ちてしまうこと防止できる。
また、本考案の動物用おむつのおむつ本体は、特殊な構造である必要がないという利点がある。
【００１３】
本考案の動物用おむつは、好ましくは、大便用袋を備えるため、動物が大便のみをした場合には、該大便用袋のみを取り外して捨てればよく、大便用袋を取り外した動物用おむつは、そのまま動物に穿かせておくことができる。また、おむつの交換ではなく、単に大便用袋を取り外せばよいため、悪臭のする大便の処理を迅速にすることが可能である。さらに、大便用袋をトイレで流せる素材で製造しておけば、取り外した大便用袋を大便とともにトイレで流すことができるため、大便の処理が簡便である。
【００１４】
本考案の動物用おむつカバーは、前記動物用補助器具を備えるため、前記首輪部を該動物の首に装着することから、該動物の臀部が痩せていても、動物用おむつカバーが臀部から後脚の先の方へずれて落ちてしまうこと防止できる。従って、穿いている動物用おむつもずれて落ちることがない。
また、本考案の動物用おむつカバー本体は、特殊な構造である必要がないという利点がある。
さらに、この場合は、動物用おむつとして、通常の市販の動物用おむつを何ら加工等することなく、そのまま使用することができるという利点がある。
【図面の簡単な説明】
【００１５】
【図１】図１は、本考案の動物用おむつ（大便用袋付き）を犬に穿かせた状態を示した図である。
【図２】図２は、本考案の動物用補助器具の正面図である。
【図３】図３は、本考案の動物用おむつ（大便用袋無し）の平面図（帯状おむつを展開して、外側の面を上にしている。）である。
【図４】図４は、本考案の動物用おむつ（大便用袋付き）の側面図（帯状おむつを折り返している。動物用補助器具は一部のみ図示している。）である。
【図５】図５は、本考案の動物用おむつカバーの正面図である。
【考案を実施するための形態】
【００１６】
以下、本考案の実施形態を図面を参照しながら説明する。
図２は、本考案の動物用補助器具１０の一実施形態を示している。動物用補助器具１０は、動物用おむつ２０又は動物用おむつカバー４０に取り付け可能な接着部１１と、前記接着部１１を動物用おむつ２０又は動物用おむつカバー４０に取り付けた状態で動物の首に装着可能な首輪部１２とを有している。
動物用補助器具１０は、少なくとも前記接着部１１と首輪部１２を有するため、製造が容易であり、低コストで製造できる。
【００１７】
前記接着部１１は、通常、動物用補助器具１０の一端に設けられる。
そして、前記接着部１１は、動物用おむつ２０又は動物用おむつカバー４０に恒常的に取り付けられるものでも、着脱可能に取り付けられるものでもよい。
【００１８】
動物用おむつ２０については、使い捨てタイプの物が一般的であるため、動物用補助器具を着脱可能に取り付ける方が、複数の動物用おむつ２０に繰り返し使用できるため望ましい。着脱可能に取り付け可能な接着部１１は、例えば、各種の面ファスナー、ボタン、安全ピン等が挙げられる。前記接着部１１として、面ファスナーやボタンを使用する場合は、動物用補助器具１０を取り付ける動物用おむつ２０の所定位置に面ファスナーやボタン孔を設けておく。なお、図３に示すように、市販の帯状の動物用おむつ２０の背当部２１と腹当部２３の接着は、腹当部２３の先端側の両側辺に延設されたテープ支持帯２５に着接されたメカニカルファスナーのフック部と、背当部２１の先端側に設けられたメカニカルファスナーのループ部２４とを接着させることにより行われることがある。この場合、通常、動物の大きさ（胴回り）によって調節できるように、具体的には、動物の大きさ（胴回り）に応じて、腹当部２３のメカニカルファスナーのフック部を背当部２１のメカニカルファスナーのループ部２４の適当な位置に接着できるようにするために、背当部２１のメカニカルファスナーのループ部２４は比較的広い面積になるように設けられている。従って、背当部２１のメカニカルファスナーのループ部２４には、腹当部２３のメカニカルファスナーのフック部を接着させたとしても、なお余った領域が存在する。そのため、前記動物用補助器具１０の前記接着部１１として、メカニカルファスナーのフック部を採用しておけば、これをそのような市販の帯状の動物用おむつ２０（背当部２１のメカニカルファスナーのループ部２４の余った領域）に着脱可能に取り付けられるため、動物用おむつ２０に改めてメカニカルファスナーのループ部を設ける等の加工を施す必要がないため望ましい。
【００１９】
これに対し、動物用おむつカバー４０は繰り返し使用できるものが一般的である。従って、動物用補助器具１０の動物用おむつカバー４０への取り付けは、例えば、接着部１１を動物用おむつカバーに縫い付ける等、恒常的に取り付ける手段でも不便はない。動物用補助器具１０と動物用おむつカバー４０とを一体の物として繰り返し使用可能だからである。もっとも、両者の取り付けは着脱可能な手段によっても構わない。
【００２０】
前記首輪部１２は、前記接着部１１にて動物用補助器具１０を動物用おむつ２０又は動物用おむつカバー４０に取り付けた状態で、該動物の首に装着可能に設けられている。
首輪部１２の素材は、特に限定されないが、動物の大きさに拘らず装着可能にするため、伸縮自在な素材を用いることが望ましい。例えば、ゴムやギャザー状にした紙・繊維、又はゴムをギャザー状にした紙で覆ったもの等を使用することができる。或いは、伸縮自在でない素材にて、長さ調節可能に製造しておくことでもよい。
首輪部１２の形状は、図２及び図５では、１つの輪の形状のものを示しているが、これに限定されるものではない。例えば、１つの輪と１本の紐が連結したような形状のもの等であってもよい。
【００２１】
本考案における動物用おむつ２０のおむつ本体は、通常の動物用おむつ２０でよく、帯状おむつでも、パンツ型のおむつでもよい。
図３では、帯状おむつの実施形態を示している。帯状おむつは、背当部２１、股当部２２及び腹当部２３から構成される。
帯状おむつは、外側（動物に穿かせたときに外側）の不透水性シート、及び内側（動物に穿かせたときに内側）の透水性シートからなる層状構造であり、股当部２２と腹当部２３においては、不透水性シートと透水性シートの間に吸収体が設けられている。不透水性シートとしては、例えば、不透水性樹脂シート等を用いることができる。透水性シートとしては、例えば、織布、不織布、開孔樹脂シート等を用いることができる。また、吸収体としては、例えば、吸収紙、吸水ポリマー、パルプ等を使用することができる。
【００２２】
背当部２１と股当部２２の境界付近には、尻尾を通すための尻尾用スリット２６が設けられている。
【００２３】
背当部２１及び腹当部２３の先端部はギャザー２７が形成されている。これにより、背当部２１と腹当部２３の先端部付近は伸縮自在となり、動物の大きさ（胴回り）に拘らず、動物用おむつ２０を穿かせることが可能となる。
また、股当部２２の両側辺から、それぞれ、股当部２２側の背当部２１の側辺の途中まで、及び股当部２２側の腹当部２３の側辺の途中までにかけてギャザー２７が形成されている。これらの部分は、図１及び図４に示すように、帯状の動物用おむつ２０を折り返したときに動物の後脚用の開口となるため、該部分をギャザー２７に形成することにより、動物が後脚を動かす際の不快感を軽減するとともに、該部分からの便の漏れを防止する。
腹当部２３の先端側の両側辺には、テープ支持帯２５が延設されている。該テープ支持帯２５の内側の面には、メカニカルファスナーのフック部が着接されている。図３は、帯状の動物用おむつ２０の外側の面を示す図であるため、該メカニカルファスナーのフック部は図示されない。
背当部２１の先端部のギャザー２７に隣接する領域には、メカニカルファスナーのループ部２４が設けられている。
股当部２２を動物の股に当てて、これを中心に背当部２１と腹当部２３を折り返して、前記腹当部２３のメカニカルファスナーのフック部と背当部２１のメカニカルファスナーのループ部２４を接着して帯状の動物用おむつ２０を動物に穿かせる。
【００２４】
上述したように、前記動物用補助器具１０の前記接着部１１としてメカニカルファスナーのフック部を採用した場合には、これを背当部２１のメカニカルファスナーのループ部２４に接着することにより、前記動物用補助器具１０を動物用おむつ２０に取り付ける。
前記動物用補助器具１０は、図１、図３、図４及び図５に示すように、動物用おむつ２０の背当部２１に取り付けることが望ましい。動物によっては、余計な器具等を装着されるのを嫌がり、器具等を脚等で外そうとすることがある。しかし、この位置に動物用補助器具１０を取り付ければ、動物の脚が届きにくい背に沿って首輪部１２を動物の首に装着することができ、動物が動物用補助器具１０等を外そうとするのを防止できるからである。
【００２５】
動物用補助器具１０が取り付けられた動物用おむつ２０は、これを動物に穿かせたときには、前記首輪部１２が該動物の首に装着されるとともに、前記接着部１１にて、動物用補助器具１０と動物用おむつ１１が取り付けられていることから、該動物の臀部が痩せている場合等でも、前記首輪部１２によって、動物用おむつ２０が動物の首に係止されているため、動物用おむつ２０が動物からずれて落ちてしまうことはない。
【００２６】
図１及び図４に示すように、本考案においては、好ましくは、動物用おむつ２０は大便用袋３０を備える。大便用袋３０を有する実施形態においては、動物用おむつ２０の尻尾用スリット２６に代えて、尻尾の付け根及びその下の肛門の位置に対応する、動物用おむつの位置に貫通孔２８が設けられる。そして、大便用袋３０は、該貫通孔２８の直下に、適宜の接着剤等によって取り付けられる。これにより、動物から排泄された大便が動物用おむつ２０内に留まることなく排出され、大便用袋内３０に収容される。
【００２７】
大便用袋３０は、袋状になっており、取り付けた動物用おむつ２０と反対側の袋開口部に延設された尻尾用孔３１を有する。大便用袋３０を動物用おむつ２０に接着させるとともに、該尻尾用孔３１に尻尾を通すことにより、大便用袋３０の取り付けが安定する。
【００２８】
大便用袋３０の動物用おむつ２０との取り付け部の下には、ミシン目が横設されている。これにより、大便用袋３０を容易に動物用おむつ２０から取り外すことができる。
【００２９】
大便用袋３０は、不透水性の素材で形成された袋で構成される。該素材はトイレに流せるものが望ましい。大便の入った大便用袋３０をそのままトイレで流せるからである。
また、大便用袋３０内には、短繊維を素材とするトイレットペーパー様の吸収紙を敷いておくことが望ましい。大便用袋３０がトイレで流せない素材である場合は、大便用袋３０内に収容されている大便を大便用袋３０から取り出してトイレで流すことになるが、この際、処理を行なう者が大便で手を汚しかねない。しかし、前記吸収紙を敷いておけば、該吸収紙で大便を包んで、該吸収紙ごとトイレに流すことができるため、手を汚す心配はない。
【００３０】
動物用おむつカバー４０は、動物用おむつ２０の上から動物に穿かせるものであり、通常、その形状はパンツ型の動物用おむつと同様である。本考案においては、動物用おむつカバー本体は、通常の市販のものを使用でき、特殊な構造を有する動物用おむつカバーを使用する必要はない。
【００３１】
図５に示すように、本考案における動物用おむつカバー４０は、前記動物用補助器具１０を備える。従って、前記動物用おむつカバー４０を動物に穿かせたときには、前記首輪部１２が該動物の首に装着されるとともに、前記接着部１１にて、動物用補助器具１０が動物用おむつカバー４０に取り付けられていることから、該動物の臀部が痩せている場合等でも、前記首輪部１２によって、動物用おむつカバー４０が動物の首に係止されているため、動物用おむつカバー４０が動物からずれて落ちてしまうことはない。従って、動物用おむつカバー４０の下に穿いている動物用おむつも同様に動物からずれて落ちることが防止される。
【００３２】
この場合は、動物用おむつカバー４０によって動物用おむつのずれ落ちを防止するため、動物用おむつとして、通常の市販の物を何ら加工等することなく、そのまま使用することが可能である。
【００３３】
好ましくは、上述した動物用おむつ２０の場合と同様に、動物用補助器具１０は、動物用おむつカバー４０のウェスト開口部４１の背側の先端中心部に、動物用器具１０の接着部１１を接着することにより取り付けられる。動物用補助器具１０を動物用おむつカバーのこの位置に取り付けることにより、首輪部１２を動物の脚が届きにくい動物の背に沿って装着することができ、動物がこれを外そうとするのを防止できるからである。
【符号の説明】
【００３４】
１０    動物用補助器具
１１    接着部
１２    首輪部
２０    動物用おむつ
２１    背当部
２２    股当部
２３    腹当部
２４    メカニカルファスナーのループ部
２５    テープ支持帯
２６    尻尾用スリット
２７    ギャザー
２８    貫通孔
３０    大便用袋
３１    尻尾用孔
４０    動物用おむつカバー
４１    ウェスト開口部
４２    後脚開口部
【図１】
0003180019.tif 000003
【図２】
0003180019.tif 000004
【図３】
0003180019.tif 000005
【図４】
0003180019.tif 000006
【図５】
0003180019.tif 000007